(57)【特許請求の範囲】
【請求項１】
複数のアンテナ要素を形成する複数のアンテナ線を有するアンテナ部分と、
前記複数のアンテナ要素用の複数の給電線を有するケーブル部分と
を備え、
前記アンテナ部分および前記ケーブル部分の両方は、フレキシブルプリント回路基板を用いて実装され、前記アンテナ部分は、単一導体層領域を含み、前記ケーブル部分は、３導体層領域を含み、
前記複数のアンテナ線は、前記３導体層領域の積層方向とは異なる方向に、前記ケーブル部分と並んで配置される
マルチアンテナシステム。
【請求項２】
複数のアンテナ要素を形成する複数のアンテナ線を有するアンテナ部分と、
前記複数のアンテナ要素用の複数の給電線を有するケーブル部分と
を備え、
前記アンテナ部分および前記ケーブル部分の両方は、フレキシブルプリント回路基板を用いて実装され、前記アンテナ部分は、単一導体層領域を含み、前記ケーブル部分は、３導体層領域を含み、
前記アンテナ部分は、第１のフレキシブルプリント回路基板において構成され、前記ケーブル部分は、第２のフレキシブルプリント回路基板において構成され、
前記第１のフレキシブルプリント回路基板および前記第２のフレキシブルプリント回路基板は、低抵抗直接相互接続技術で互いに相互接続されている、
マルチアンテナシステム。
【請求項３】
前記アンテナ部分および前記ケーブル部分は、単一の統合フレキシブルプリント回路基板からできている、
請求項１に記載のマルチアンテナシステム。
【請求項４】
前記アンテナ部分を含む層が、前記ケーブル部分を含む層とは異なる材料からできている、
請求項１から３のいずれか一項に記載のマルチアンテナシステム。
【請求項５】
前記アンテナ部分は、第１のフレキシブルプリント回路基板において構成され、前記ケーブル部分は、第２のフレキシブルプリント回路基板において構成され、前記第１のフレキシブルプリント回路基板および前記第２のフレキシブルプリント回路基板は、互いに相互接続されている、
請求項１に記載のマルチアンテナシステム。
【請求項６】
前記低抵抗直接相互接続技術は、ホットバー半田付けまたは異方性導電接着剤のうちの１つを含む、
請求項２に記載のマルチアンテナシステム。
【請求項７】
前記ケーブル部分は、低誘電損材料を利用している、
請求項５または６に記載のマルチアンテナシステム。
【請求項８】
前記アンテナ部分は、単一の導体層基板材料を利用している、
請求項５から７のいずれか一項に記載のマルチアンテナシステム。
【請求項９】
前記ケーブル部分は、ストリップ線形状を利用している、
請求項１から８のいずれか一項に記載のマルチアンテナシステム。
【請求項１０】
前記フレキシブルプリント回路基板は、複数のアンテナ整合コンポーネントを含む、
請求項１から９のいずれか一項に記載のマルチアンテナシステム。
【請求項１１】
前記ケーブル部分は、センサ用の信号線を有する、
請求項１から１０のいずれか一項に記載のマルチアンテナシステム。
【請求項１２】
前記ケーブル部分は、光コンポーネント用の信号線を有する、
請求項１から１１のいずれか一項に記載のマルチアンテナシステム。
【請求項１３】
前記ケーブル部分は、ユニバーサルシリアルバスインターフェース用の信号線を有する、
請求項１から１２のいずれか一項に記載のマルチアンテナシステム。
【請求項１４】
前記ケーブル部分は、スイッチ用の信号線を有する、
請求項１から１３のいずれか一項に記載のマルチアンテナシステム。
【請求項１５】
前記マルチアンテナシステムは、多入力多出力（ＭＩＭＯ）システムである、
請求項１から１４のいずれか一項に記載のマルチアンテナシステム。
【請求項１６】
無線通信装置の内部に配置されたプリント回路基板に前記マルチアンテナシステムを接続するためのコネクタ
をさらに備える、請求項１から１５のいずれか一項に記載のマルチアンテナシステム。
【請求項１７】
プリント回路基板と、
前記プリント回路基板に接続された、請求項１から１６のいずれか一項に記載のマルチアンテナシステムと
を備える無線通信装置。
【発明の詳細な説明】
【技術分野】
【０００１】
本願は、無線通信分野に関し、より具体的には、マルチアンテナシステムに関する。
【背景技術】
【０００２】
マルチアンテナシステムは、体系化された態様で装置に配置される必要がある複数のアンテナ要素またはアンテナパターンを用いる。アンテナ要素は、様々な要件、例えば、アンテナアレイのゲイン、ビームステアリング特性、要素間の絶縁、包絡線相関係数等に基づいて、互いに特定の分離距離を必要とする。さらに、アンテナ要素は、独自の給電線を必要とする。
【０００３】
マイクロ同軸ケーブルは、アンテナ要素を無線周波数（ＲＦ）電子機器に接続するための給電線として用いられ得る。装置に複数のアンテナが存在する場合、必要とされるケーブルの数は、アンテナ要素の数と同じであろう。このことは、アンテナ要素およびマイクロ同軸ケーブルの構成にいくつかの相互接続があって複雑になることにつながる。また、このことは、多くの空間を消費するだけでなく、製造性および最終アセンブリに課題をもたらすであろう。
【発明の概要】
【０００４】
この概要は、以下の詳細な説明においてさらに説明される概念から選択したものを簡略化した形式で紹介するために提供される。この概要は、特許請求されている主題の重要な特徴または必須の特徴を特定することも、特許請求されている主題の範囲を限定するために用いられることも意図されていない。
【０００５】
本発明の目的は、フレキシブルプリント回路（ＦＰＣ）技術を利用したマルチアンテナシステムのための解決手段を提供することである。
【０００６】
前述の目的その他の目的は、独立請求項の特徴により実現される。従属請求項、明細書および図から、さらなる実装形式が明らかになる。
【０００７】
第１の態様によれば、マルチアンテナシステムが提供される。マルチアンテナシステムは、アンテナ部分を備える。アンテナ部分は、複数のアンテナ要素を形成する複数のアンテナ線と、複数のアンテナ要素用の複数の給電線を含むケーブル部分とを有する。アンテナ部分およびケーブル部分の両方は、フレキシブルプリント回路（ＦＰＣ）基板を用いて実装される。第１の態様は、複数のアンテナラジエータ、複数の給電ケーブル、および場合によっては、複数の他のコンポーネントも含む複雑なマルチアンテナシステムがＦＰＣ基板上に実装され得る解決手段を提供する。そのようなＦＰＣは、無線通信装置へと容易に組み立てられ、無線通信装置機構に正確に配置され得る。第１の態様は、例えばマイクロ同軸ケーブルシステムと比べてコスト効果も提供する。さらに、第１の態様は、例えばマイクロ同軸ケーブルシステムよりも薄い解決手段を提供する。
【０００８】
第１の態様の実装形式において、アンテナ部分およびケーブル部分は、単一の統合フレキシブルプリント回路基板からできている。そのような単一の統合フレキシブルプリント回路基板により、不連続点なく連続する信号経路が可能になる故に、より良い電気的性能が提供される。
【０００９】
さらに、第１の態様の実装形式において、アンテナ部分は、単一導体層領域を有し、ケーブル部分は、３導体層領域を有する。単一の導体層領域は、当該機械環境に起因して必要とされることが多い形状へと曲げるのが容易である。
【００１０】
第１の態様のさらなる実装形式において、アンテナ部分を含む層は、ケーブル部分を含む層とは異なる材料からできている。これにより、アンテナ部分を含む層においてより少ないコストの材料が用いられ得る解決手段が可能になる。
【００１１】
第１の態様のさらなる実装形式において、アンテナ部分は、第１のフレキシブルプリント回路基板において構成され、ケーブル部分は、第２のフレキシブルプリント回路基板において構成され、第１のフレキシブルプリント回路基板および第２のフレキシブルプリント回路基板は、互いに相互接続されている。アンテナ部分が非常に大きい場合、第１のフレキシブルプリント回路基板において低コストの材料を用いることにより、著しいコスト上の利点を提供し得る。
【００１２】
第１の態様のさらなる実装形式において、第１のフレキシブルプリント回路基板および第２のフレキシブルプリント回路基板は、低抵抗直接相互接続技術で互いに相互接続されている。これにより、最も低い相互接続積層高さを提供する解決手段が可能になる。
【００１３】
第１の態様のさらなる実装形式において、低抵抗直接相互接続技術は、ホットバー半田付けまたは異方性導電接着剤のうちの１つを含む。低相互接続抵抗により、無線周波数信号について十分に低い抵抗損失を保つことが可能になる。
【００１４】
第１の態様のさらなる実装形式において、ケーブル部分は、低誘電損材料を利用している。これにより、誘電損失および導体損失に関して十分な性能を有する可能な限り最も薄い構造を保証することが可能な解決手段が提供される。
【００１５】
第１の態様のさらなる実装形式において、アンテナ部分は、単一の導体層基板材料を利用している。これにより、電気的性能要件を維持すると同時にコスト効率が実現され得る解決手段が可能になる。
【００１６】
第１の態様のさらなる実装形式において、ケーブル部分は、ストリップ線形状を利用して、電気的に整合および保護された信号経路を可能にする。
【００１７】
第１の態様のさらなる実装形式において、フレキシブルプリント回路基板は、複数のアンテナ整合コンポーネントを含む。これにより、空間を節約し、より良い電気的性能のためにアンテナ給電点の近くに整合コンポーネントを配置することを可能にする、統合された単純な解決手段が提供される。
【００１８】
第１の態様のさらなる実装形式において、ケーブル部分は、センサ用の信号線を有する。これにより、駆動電子機器から、典型的には１つのセンサまたは複数のセンサが配置される必要がある移動体装置の領域への相互接続を可能にすることにより空間を節約した、統合された単純な解決手段が提供される。
【００１９】
第１の態様のさらなる実装形式において、ケーブル部分は、光コンポーネント用の信号線を有する。これにより、駆動電子機器から、光コンポーネントが配置され得る必要がある移動体装置の領域への相互接続を可能にすることにより空間を節約した、統合された単純な解決手段が提供される。
【００２０】
第１の態様のさらなる実装形式において、ケーブル部分は、ユニバーサルシリアルバスインターフェース用の信号線を有する。これにより、良好な電気特性を与える材料を既に利用しているフレキシブルプリント回路という形態の信号経路を設けることにより空間を節約した、統合された単純な解決手段が提供される。
【００２１】
第１の態様のさらなる実装形式において、ケーブル部分は、スイッチ用の信号線を有する。これにより、空間を節約した、統合された単純な解決手段が提供される。典型的には、スイッチが、移動体装置の両側面に、故に、マルチアンテナシステムと同じ領域に位置する。
【００２２】
第２の態様によれば、無線通信装置が提供される。無線通信装置は、プリント回路基板と、第１の態様またはプリント回路基板に接続されたその実装形式のいずれかによるマルチアンテナシステムとを備える。第２の態様は、複数のアンテナラジエータ、複数の給電ケーブル、および場合によっては、複数の他のコンポーネントも含む複雑なマルチアンテナシステムがフレキシブルプリント回路基板上に実装され得る解決手段を提供する。そのようなフレキシブルプリント回路基板は、無線通信装置へと容易に組み立てられ、無線通信装置機構に正確に配置され得る。
【００２３】
付随する特徴の多くは、添付図面に関連して考慮される以下の詳細な説明を参照することによってより良く理解されるようになると、より容易に理解されよう。
【図面の簡単な説明】
【００２４】
本説明は、以下の詳細な説明を添付図面に照らして読むことからより良く理解されよう。
【００２５】
【図１】移動体装置の模式図を示す。
【００２６】
【図２Ａ】結合フレキシブルプリント回路基板の概略図を示す。
【００２７】
【図２Ｂ】結合フレキシブルプリント回路基板の断面図を示す。
【００２８】
【図２Ｃ】分離ストリップ線フレキシブルプリント回路基板の概略図を示す。
【００２９】
【図２Ｄ】分離ストリップ線フレキシブルプリント回路基板の断面図を示す。
【発明を実施するための形態】
【００３０】
添付図面に関連して以下に提供される詳細な説明は、実施形態の説明として意図されており、実施形態が構築または利用され得る唯一の形式を表すことは意図されていない。しかしながら、同じまたは同等の機能および構造は、異なる実施形態により実現され得る。
【００３１】
態様および実施形態が移動体装置に関して説明され得るが、これらは例としてのものであり、決して限定ではない。開示される解決手段は、無線通信機能を有し、マルチアンテナシステムを備える任意の無線装置にも適用可能であり得る。
【００３２】
図１は、移動体装置１２０の簡略化された模式図を示す。移動体装置１２０は、バックカバー１００、フロントカバー１０２およびプリント回路基板１０４を備える。移動体装置１２０が図１において開示されない様々な要素およびコンポーネント、例えば、バッテリ、カメラモジュール、マイク、スピーカ等をさらに備え得ることは明らかである。ある態様によれば、移動体装置１２０は、マルチアンテナシステムを備える。マルチアンテナシステムは、多入力多出力（ＭＩＭＯ）システムまたはアンテナアレイであり得る。マルチアンテナシステムは、アンテナ部分１０８を備える。アンテナ部分１０８は、複数のアンテナ要素を形成する複数のアンテナ線と、複数のアンテナ要素用の複数の給電線を含むケーブル部分１１０とを有する。アンテナ部分１０８およびケーブル部分１１０の両方は、フレキシブルプリント回路（ＦＰＣ）基板を用いて実装される。移動体装置１２０は、マルチアンテナシステムをプリント回路基板１０４に接続するためのコネクタ１０６も備える。アンテナラジエータ、給電ケーブル、および場合によっては他のコンポーネントも備える複雑なマルチアンテナシステムがＦＰＣ基板に実装され得る解決手段が提供される。そのようなＦＰＣは、移動体装置へと容易に組み立てられ、移動体装置機構に正確に配置され得る。このことは、例えばマイクロ同軸ケーブルシステムと比べて、コスト効果も提供する。さらに、例えばマイクロ同軸ケーブルシステムよりも薄い解決手段が提供される。
【００３３】
図２Ａは、組み合わされたフレキシブルプリント回路（ＦＰＣ）基板の概略図を示す。図２Ａにおいて開示されるマルチアンテナシステムは、アンテナ部分２１０を備える。アンテナ部分２１０は、アンテナ要素２１２を形成するアンテナ線と、アンテナ要素２１２用の給電線２２６を含むケーブル部分２０８とを有する。ケーブル部分２０８は、コネクタ１０６を介して、プリント回路基板１０４に接続される。無線周波数（ＲＦ）電子機器を含むプリント回路基板１０４との相互接続は、マルチＩ／Ｏ  ＲＦコネクタまたは低抵抗直接相互接続を利用し得る。組み合わされた解決手段において、アンテナ部分２１０およびケーブル部分２０８は、単一統合ＦＰＣ基板からできている。マルチアンテナシステムは、移動体装置機構の平坦面または曲面のいずれかに配置され得る。マルチアンテナシステムは、例えば、多入力多出力（ＭＩＭＯ）システムまたはアンテナアレイであり得る。
【００３４】
実施形態において、ケーブル部分２０８およびアンテナ部分２１０は、他の電子機器、例えば、少なくとも１つのセンサおよび／または少なくとも１つのスイッチも有し得る。さらに、ケーブル部分２０８およびアンテナ部分２１０は、信号、例えば、ユニバーサルシリアルバス（ＵＳＢ）信号をルーティングするのに用いられ得る。これにより、移動体装置１２０内の空間を節約した、統合された単純な解決手段が提供される。
【００３５】
実施形態において、ケーブル部分２０８は、センサ用の信号線、光コンポーネント用の信号線、ユニバーサルシリアルバスインターフェース用の信号線およびスイッチ用の信号線のうちの少なくとも１つを有し得る。これにより、移動体装置１２０内の空間を節約した、統合された単純な解決手段が提供される。
【００３６】
図２Ｂは、図２Ａに示される結合フレキシブルプリント回路基板の断面図を示す。この断面図は、図２Ａに示される断面Ａ―Ａから得られている。
【００３７】
結合フレキシブルプリント回路基板は、導体層２０２および絶縁層２００を備える。図２Ｂにおいて、アンテナ部分２１０は、単一の導体層２０２から成り、ケーブル部分は、３つの導体層２０２を用いて実現されている。アンテナ線は、ケーブル部分２０８において互いに並んで配置されることにより、十分な絶縁を保証するための十分な分離を保証し得る。さらに、一実施形態において、複数のアンテナ整合コンポーネントその他の電気コンポーネントが、フレキシブル回路基板上に配置され得る。
【００３８】
実施形態において、ケーブル部分２０８では、低誘電損材料、例えば、液晶性ポリマー（ＬＣＰ）、低誘電損ポリイミドまたはポリテトラフルオロエチレン（ＰＴＦＥ）が、誘電損失および導体損失に関して十分な性能を有する可能な限り最も薄い構造を保証するために利用され得る。
【００３９】
実施形態において、アンテナ部分２１０の誘電材料は、ケーブル部分２０８と同じ材料のものであり得る。別の実施形態において、アンテナ部分２１０が存在する層がより低いコストの材料からできている混合材料製の解決手段を用いることが可能である。
【００４０】
図２Ｂにおいて開示される解決手段は、薄い構造も提供する。典型的には、良好な電気特性を有するストリップ線フレキシブルプリント回路基板は、厚さが０．３ｍｍであり、これは、同等の電気特性を有するマイクロ同軸ケーブルよりも薄い。さらに、論じられる解決手段は、複数のマイクロ同軸ケーブルシステムに対するコスト効果を提供し得る。
【００４１】
図２Ｃは、分離ストリップ線フレキシブルプリント回路基板の概略図を示す。図２Ｃにおいて開示されるマルチアンテナシステムは、アンテナ機能およびケーブル機能のための分離フレキシブルプリント回路を備える。第１のフレキシブルプリント回路基板は、アンテナ部分２２４を備える。アンテナ部分２２４は、複数のアンテナ要素２１２を形成するアンテナ線を有する。第２のフレキシブルプリント回路基板は、複数のアンテナ要素２１２用の複数の給電線２２６を含むケーブル部分２２０を備える。第２のフレキシブルプリント回路基板は、複数のコネクタ１０６を介して、プリント回路基板１０４に接続される。無線周波数（ＲＦ）電子機器を含むプリント回路基板１０４との相互接続は、マルチＩ／Ｏ  ＲＦコネクタまたは低抵抗直接相互接続を利用し得る。マルチアンテナシステムは、移動体装置機構の平坦面または曲面のいずれかに配置され得る。マルチアンテナシステムは、例えば、多入力多出力（ＭＩＭＯ）システムまたはアンテナアレイであり得る。
【００４２】
実施形態において、第１のフレキシブルプリント回路基板は、単一の導体層基板材料を利用し得、特に、低コストの単一の導体層基板材料、例えば、ポリエステル（ＰＥＴ）またはポリエチレンナフタレート（ＰＥＮ）を利用し得る。第２のフレキシブルプリント回路基板は、ストリップ線形状を利用し得る。この材料および寸法は、無線周波数（ＲＦ）信号品位要件に準拠するように構成され得る。
【００４３】
実施形態において、第１のフレキシブルプリント回路基板と第２のフレキシブルプリント回路基板との間の２２２における相互接続は、低抵抗直接相互接続技術、例えば、ホットバー半田付けまたは異方性導電接着剤（ＡＣＡ）等で実現され得る。これらの技術により、非常に低い相互接続積層高さが得られる。さらに、低相互接続抵抗により、無線周波数信号について十分に低い抵抗損失を保つことが可能になる。
【００４４】
実施形態において、ケーブル部分２２０では、低誘電損材料、例えば、液晶性ポリマー（ＬＣＰ）、低誘電損ポリイミドまたはポリテトラフルオロエチレン（ＰＴＦＥ）が、誘電損失および導体損失に関して十分な性能を有する可能な限り最も薄い構造を保証するために利用され得る。
【００４５】
図２Ｄは、図２Ｃに示される分離ストリップ線フレキシブルプリント回路基板の断面図を示す。この断面図は、図２Ｃに示される断面Ｂ―Ｂから得られている。
【００４６】
図２Ｄにおいて、アンテナ部分２１０は、単一の導体層２０２から成り、ケーブル部分２１８は、３つの導体層２０２を用いて実現されている。絶縁層２００が２つの導体層２０２の間に設けられ得る。図２Ｄは、アンテナ部分２１０を含む第１のフレキシブルプリント回路基板２１８と、ケーブル部分２０８を含む第２のフレキシブルプリント回路基板２１６とが相互接続層２１４により接続されていることを示す。アンテナ線がケーブル部分２０８と互いに並んで配置されることにより、十分な分離が保証され、十分な絶縁が保証され得る。さらに、一実施形態において、複数のアンテナ整合コンポーネントその他の電気コンポーネントが、フレキシブル回路基板上に配置され得る。
【００４７】
実施形態において、ケーブル部分２０８では、低誘電損材料、例えば、液晶性ポリマー（ＬＣＰ）、低誘電損ポリイミドまたはポリテトラフルオロエチレン（ＰＴＦＥ）が、誘電損失および導体損失に関して十分な性能を有する可能な限り最も薄い構造を保証するために利用され得る。
【００４８】
図２Ｄにおいて開示される解決手段は、薄い構造も提供する。典型的には、良好な電気特性を有するストリップ線フレキシブルプリント回路基板は、厚さが０．３ｍｍであり、これは、同等の電気特性を有するマイクロ同軸ケーブルよりも薄い。さらに、論じられる解決手段は、複数のマイクロ同軸ケーブルシステムに対するコスト効果を提供し得る。
【００４９】
本明細書において与えられる任意の範囲またはデバイス値は、求める効果を失うことなく、拡大または変更され得る。また、明示的に不許可とされない限り、任意の実施形態は、別の実施形態と組み合わされ得る。
【００５０】
構造上の特徴および／または動作に特有の文言で主題が説明されてきたが、添付の特許請求の範囲において定義される主題は、必ずしも上述の特定の特徴または動作に限定されるわけではないことが理解されるべきである。むしろ、上述の特定の特徴および動作は、特許請求の範囲ならびに他の同等の特徴および動作を実装する例として開示されており、特許請求の範囲内となることが意図されている。
【００５１】
上述の利益および利点は、一実施形態に関連し得るか、またはいくつかの実施形態に関連し得ることが理解されよう。実施形態は、記載された課題のいずれかまたは全てを解決するものにも、記載された利益および利点のいずれかまたは全てを有するものにも限定されない。「ある」項目の参照は、それらの項目のうちの１または複数を指し得ることがさらに理解されよう。
【００５２】
上述の実施形態のいずれの態様も、求める効果を失うことなく、説明される他の実施形態のいずれの態様とも組み合わされて、さらなる実施形態を形成し得る。
【００５３】
「備える」という用語は、本明細書において、特定される方法、ブロックまたは要素を含むことを意味するように用いられるが、そのようなブロックまたは要素は、排他的な列挙を含まず、方法または装置は、追加のブロックまたは要素を含み得る。
【００５４】
上記説明は、例としてのみ与えられており、当業者により様々な修正が行われ得ることが理解されよう。上記の明細書、例およびデータは、構造についての完全な説明を提供しており、代表的な実施形態を用いている。様々な実施形態が、特定の程度具体的に、または１または複数の個々の実施形態を参照して説明されてきたが、当業者であれば、本明細書の主旨または範囲から逸脱することなく、開示された実施形態に対して多数の変更を行い得る。
［項目１］
複数のアンテナ要素（２１２）を形成する複数のアンテナ線を有するアンテナ部分（１０８、２１０、２２４）と、
上記複数のアンテナ要素（２１２）用の複数の給電線（２２６）を有するケーブル部分（１１０、２０８、２２０）と
を備え、
上記アンテナ部分（１０８、２１０、２２４）および上記ケーブル部分（１１０、２０８、２２０）の両方は、フレキシブルプリント回路基板を用いて実装される、
マルチアンテナシステム。
［項目２］
上記アンテナ部分（１０８、２１０、２２４）および上記ケーブル部分（１１０、２０８、２２０）は、単一の統合フレキシブルプリント回路基板からできている、
項目１に記載のマルチアンテナシステム。
［項目３］
上記アンテナ部分（１０８、２１０、２２４）は、単一導体層領域を含み、上記ケーブル部分（１１０、２０８、２２０）は、３導体層領域を含む、
項目２に記載のマルチアンテナシステム。
［項目４］
上記アンテナ部分（１０８、２１０、２２４）を含む層が、上記ケーブル部分（１１０、２０８、２２０）を含む層とは異なる材料からできている、
項目１または２に記載のマルチアンテナシステム。
［項目５］
上記アンテナ部分（１０８、２１０、２２４）は、第１のフレキシブルプリント回路基板（２１８）において構成され、上記ケーブル部分（１１０、２０８、２２０）は、第２のフレキシブルプリント回路基板（２１６）において構成され、上記第１のフレキシブルプリント回路基板（２１８）および上記第２のフレキシブルプリント回路基板（２１６）は、互いに相互接続されている、
項目１に記載のマルチアンテナシステム。
［項目６］
上記第１のフレキシブルプリント回路基板（２１８）および上記第２のフレキシブルプリント回路基板（２１６）は、低抵抗直接相互接続技術で互いに相互接続されている、
項目５に記載のマルチアンテナシステム。
［項目７］
上記低抵抗直接相互接続技術は、ホットバー半田付けまたは異方性導電接着剤のうちの１つを含む、
項目６に記載のマルチアンテナシステム。
［項目８］
上記ケーブル部分（２０８、２２０）は、低誘電損材料を利用している、
項目５から７のいずれかに記載のマルチアンテナシステム。
［項目９］
上記アンテナ部分（１０８、２１０、２２４）は、単一の導体層基板材料を利用している、
項目５から８のいずれかに記載のマルチアンテナシステム。
［項目１０］
上記ケーブル部分（１１０、２０８、２２０）は、ストリップ線形状を利用している、
項目１から９のいずれかに記載のマルチアンテナシステム。
［項目１１］
上記フレキシブルプリント回路基板は、複数のアンテナ整合コンポーネントを含む、
項目１から１０のいずれかに記載のマルチアンテナシステム。
［項目１２］
上記ケーブル部分（１１０、２０８、２２０）は、センサ用の信号線を有する、
項目１から１１のいずれかに記載のマルチアンテナシステム。
［項目１３］
上記ケーブル部分（１００、２０８、２２０）は、光コンポーネント用の信号線を有する、
項目１から１２のいずれかに記載のマルチアンテナシステム。
［項目１４］
上記ケーブル部分（１１０、２０８、２２０）は、ユニバーサルシリアルバスインターフェース用の信号線を有する、
項目１から１３のいずれかに記載のマルチアンテナシステム。
［項目１５］
上記ケーブル部分（１００、２０８、２２０）は、スイッチ用の信号線を有する、
項目１から１４のいずれかに記載のマルチアンテナシステム。
［項目１６］
プリント回路基板（１０４）と、
上記プリント回路基板（１０４）に接続された、項目１から１５のいずれかに記載のマルチアンテナシステムと
を備える無線通信装置（１２０）。
【図１】
0006795270.tif 000002
【図２Ａ】
0006795270.tif 000003
【図２Ｂ】
0006795270.tif 000004
【図２Ｃ】
0006795270.tif 000005
【図２Ｄ】
0006795270.tif 000006